(57)【特許請求の範囲】
【請求項１】
こたつ本体と天板とを着脱自在に固定するための一対の固定手段を備えたこたつに掛けられるこたつ布団の製造方法であって、
矩形状の天面布団部を準備するステップと、
前記天面布団部の各辺の長さと同じ長さの短辺と、前記短辺に平行な長辺と、前記短辺及び前記長辺の端部を連結する一対の傾斜辺と、を有する台形状からなる４つの側面布団部を準備するステップと、
前記天面布団部の各辺に前記各側面布団部の前記短辺をそれぞれ縫着するステップと、
前記各側面布団部の前記傾斜辺をそれぞれ縫着するステップと、を備え、
前記天面布団部の製造方法は、
矩形状からなる天面袋を準備するステップと、
前記天面袋の内部に綿を入れるステップと、
前記天面布団部の対向する一対の辺に対して、前記各辺に直交する方向に１本のカット線を入れるステップと、を備え、
前記各側面布団部の製造方法は、
台形状からなる側面袋を準備するステップと、
前記側面袋の形状と同じ台形状からなる本体部と、前記本体部の長辺に接続されると共に、前記本体部より短く、かつ、前記本体部と対称な台形状からなる折り返し部と、を備えた側面綿を準備するステップと、
前記側面綿を前記側面袋に入れるステップと、
前記折り返し部を前記本体部に折り返えして重ねるステップと、を備える
ことを特徴とするこたつ布団の製造方法。
【発明の詳細な説明】
【技術分野】
【０００１】
本発明は、こたつ本体と天板とを着脱自在に固定するための一対の固定手段を備えたこたつに掛けられるこたつ布団の製造方法に関する。
【背景技術】
【０００２】
こたつ本体と天板とを着脱自在に固定するための一対の固定手段を備えたこたつがある。固定手段は、こたつ本体に取り付けられたボルトねじと、天板に取り付けられたナットと、からなる。固定手段は、ボルトねじとナットとを螺合することで、こたつ本体と天板とを固定する。このこたつは、固定手段でこたつ本体と天板とを連結して、天板がこたつ本体から位置ずれしないように構成されている。
【０００３】
このこたつに掛けられるこたつ布団は、例えば特許文献１に開示されている。このこたつ布団は、天面布団部１を備えており、天面布団部１は、外側に向けて開いた一対の凹形状切り欠き５を有しており、この凹形状切り欠き５に固定手段１０のボルトねじＮＨが挿通される（以下、符号は特許文献１参照）。また、このこたつ布団は、側面布団部２を備えており、天面布団部１及び側面布団部２は、キルト生地で構成されている（特許文献１の段落００２０参照）。
【０００４】
上記の通り、天面布団部１は、一対の凹形状切り欠き５を備えているので、大きな穴５が２つ開くことになり、これらの穴５から大量の熱が外部に漏れるという問題があった。また、天面布団部１及び側面布団部２が、キルト生地からなり、多くの綿が入れられた綿入れ布団よりも綿の量が少ないので、こたつから外部に漏れる熱量が多いという問題があった。
【先行技術文献】
【特許文献】
【０００５】
【特許文献１】特開２００２−３４７５４号公報
【発明の概要】
【発明が解決しようとする課題】
【０００６】
そこで、本発明が解決しようとする課題は、こたつの熱が外部に漏れ難いように、綿入り布団を使用すると共に、こたつ本体から位置ずれせず、かつ、生産効率よく製造できるこたつ布団の製造方法を提供することである。
【課題を解決するための手段】
【０００７】
上記の課題を解決するために、本発明に係るこたつ布団の製造方法は、
こたつ本体と天板とを着脱自在に固定するための一対の固定手段を備えたこたつに掛けられるこたつ布団の製造方法であって、
矩形状の天面布団部を準備するステップと、
天面布団部の各辺の長さと同じ長さの短辺と、短辺に平行な長辺と、短辺及び長辺の端部を連結する一対の傾斜辺と、を有する台形状からなる４つの側面布団部を準備するステップと、
天面布団部の各辺に各側面布団部の短辺をそれぞれ縫着するステップと、
各側面布団部の傾斜辺をそれぞれ縫着するステップと、を備え、
天面布団部の製造方法は、
矩形状からなる天面袋を準備するステップと、
天面袋の内部に綿を入れるステップと、
天面布団部の対向する一対の辺に対して、各辺に直交する方向に１本のカット線を入れるステップと、を備え、
各側面布団部の製造方法は、
台形状からなる側面袋を準備するステップと、
側面袋の形状と同じ台形状からなる本体部と、本体部の長辺に接続されると共に、本体部より短く、かつ、本体部と対称な台形状からなる折り返し部と、を備えた側面綿を準備するステップと、
側面綿を側面袋に入れるステップと、
折り返し部を本体部に折り返えして重ねるステップと、を備える。
【発明の効果】
【００１０】
本発明に係るこたつ布団の製造方法は、矩形状の天面布団部を準備するステップと、天面布団部の各辺の長さと同じ長さの短辺を有する台形状からなる４つの側面布団部を準備するステップと、天面布団部の各辺に各側面布団部の短辺をそれぞれ縫着するステップと、各側面布団部の傾斜辺をそれぞれ縫着するステップと、を備えている。
【００１１】
そのため、天面布団部と側面布団部とのそれぞれに入れる綿の量を異なるようにできる。天面布団部は、天板で覆われるので、綿の量は少なくでき、また、側面布団部は、綿の量を多くして、こたつの熱を外部に漏れないようにできる。さらに、側面布団部が台形状からなり、側面布団部の傾斜辺をそれぞれ縫着するので、この縫着部分が、完成後のこたつ布団の折れ線として機能して、使用の際に、こたつの熱が外部に漏れ難いようになっている。
【００１２】
また、天面布団部の製造方法は、矩形状からなる天面袋を準備するステップと、天面袋の内部に綿を入れるステップと、天面布団部の対向する一対の辺に対して、各辺に直交する方向に１本のカット線を入れるステップと、を備えている。
【００１３】
そのため、天面布団部は、カット線に固定手段のボルトねじを挿通できるので、天面布団部のカット線がボルトねじに密着して、従来のこたつ布団に比べて、こたつの熱が外部に漏れ難いようになっている。また、上記の通り、天面布団部の各辺に各側面布団部の短辺をそれぞれ縫着するので、従来のこたつ布団のように、固定手段を挿通するための大きな穴が開くことがない。
【００１４】
また、各側面布団部の製造方法は、台形状からなる側面袋を準備するステップと、側面袋の形状と同じ台形状からなる本体部と、本体部の長辺に接続されると共に、本体部より短く、かつ、本体部と対称な台形状からなる折り返し部と、を備えた側面綿を準備するステップと、側面綿を側面袋に入れるステップと、折り返し部を本体部に折り返えして重ねるステップと、を備える。
【００１５】
そのため、側面布団部の端部には、大量の綿、すなわち、本体部と折り返し部とが重なった量の綿が配置されるので、使用の際に、こたつの熱が外部に漏れ難いようになっている。さらに、容易に側面布団部の端部に大量の綿を配置できると共に、使用の際に、大量の綿が側面布団部の端部から移動することもない。
【図面の簡単な説明】
【００１６】
【図１】（Ａ）は天面布団部を示す平面図、（Ｂ）は（Ａ）のＢ−Ｂ線断面図。
【図２】（Ａ）は側面袋を示す平面図、（Ｂ）は側面綿を示す平面図。
【図３】天面布団部及び側面布団部を縫着する方法を説明する平面図。
【図４】（Ａ）はこたつ布団を示す平面図、（Ｂ）は（Ａ）のＢ−Ｂ線断面図。
【図５】こたつ布団をこたつに固定する方法を説明する斜視図。
【発明を実施するための形態】
【００１７】
以下、図面に基づいて、本発明に係るこたつ布団の製造方法の一実施形態を説明する。
【００１８】
図１の通り、天面布団部１は、矩形状からなる天面袋１０を備える。天面袋１０の内部に、綿１１が入れられる。本実施形態では、天面布団部１は、正方形からなり、各辺１ａの長さＬ１は約８０ｃｍである。天面布団部１の各辺１ａの長さは、こたつの天板の長さに合わせられる。そのため、こたつの天板が長方形のときは、天面布団部１は、長方形となる。
【００１９】
天面布団部１は、対向する一対の辺１ａ，１ａに対して、各辺１ａ，１ａに直交する方向に１本のカット線１２，１２が入れられる。本実施形態では、各カット線１２の長さは、約１０ｃｍである。天面布団部１は、カット線１２の周囲にヘム生地１２ａが縫着される。さらに、本実施形態では、天面布団部１は、キルト加工される。
【００２０】
従って、天面布団部１の製造方法は、矩形状からなる天面袋１０を準備するステップと、天面袋１０の内部に綿１１を入れるステップと、天面布団部１の対向する一対の辺１ａ，１ａに対して、各辺１ａ，１ａに直交する方向に１本のカット線１２を入れるステップと、を備えている。
【００２１】
図２の通り、側面布団部２は、側面袋２０と側面綿２１とを備える。
図２（Ａ）の通り、側面袋２０は、台形状からなり、短辺２０ａと、短辺２０ａに平行な長辺２０ｂと、短辺２０ａ及び長辺２０ｂの端部を連結する一対の傾斜辺２０ｃ，２０ｃと、を備える。
【００２２】
側面袋２０の短辺２０ａの長さＬ１は、天面布団部１の各辺１ａの長さＬ１と同じであり、本実施形態では、約８０ｃｍである。本実施形態では、側面袋２０の長辺２０ｂの長さＬ２は、約２００ｃｍである。側面袋２０の高さＬ３は、約６０ｃｍである。
【００２３】
図２（Ｂ）の通り、側面綿２１は、本体部２１０と、本体部２１０に接続された折り返し部２１１と、を備える。本体部２１０及び折り返し部２１１は、同じ厚さである。本体部２１０は、側面袋２０の形状と同じ台形状からなる。そのため、本体部２１０の短辺２１０ａの長さＬ１は、約８０ｃｍであり、長辺２１０ｂの長さＬ２は、約２００ｃｍである。
【００２４】
折り返し部２１１は、本体部２１０より短く、かつ、本体部２１０と対称な台形状からなる。そのため、折り返し部２１１の長辺２１１ｂの長さＬ２は、約２００ｃｍである。折り返し部２１１の高さＬ４は、側面袋２０の高さＬ３の約１／３で、約２０ｃｍである。そして、折り返し部２１１の短辺２１１ａの長さＬ５は、約１６０ｃｍである。
【００２５】
側面綿２１は、側面袋２０に入れられる。そして、側面綿２１は、折り返し部２１１が本体部２１０に折り返されて重ねられる。そのため、側面綿２１は、本体部２１０と折り返し部２１１とが重なった嵩高な部分を有する。
【００２６】
従って、各側面布団部２の製造方法は、台形状からなる側面袋２０を準備するステップと、側面袋２０の形状と同じ台形状からなる本体部２１０と、本体部２１０の長辺２１０ｂに接続されると共に、本体部２１０より短く、かつ、本体部２１０と対称な台形状からなる折り返し部２１１と、を備えた側面綿２１１を準備するステップと、側面綿２１１を側面袋２１０に入れるステップと、折り返し部２１１を本体部２１０に折り返えして重ねるステップと、を備える。
【００２７】
図３の通り、こたつ布団は、天面布団部１と、４つの側面布団部２とからなる。こたつ布団は、天面布団部１の各辺１ａに、各側面布団部２の短辺２ａがそれぞれ縫着される。そして、こたつ布団は、各側面布団部２の傾斜辺２ｃがそれぞれ縫着される。
【００２８】
従って、こたつ布団の製造方法は、矩形状の天面布団部１を準備するステップと、天面布団部１の各辺１ａの長さと同じ長さの短辺２ａと、短辺２ａに平行な長辺２ｂと、短辺２ａ及び長辺２ｂの端部を連結する一対の傾斜辺２ｃと、を有する台形状からなる４つの側面布団部２を準備するステップと、天面布団部１の各辺１ａに各側面布団部２の短辺２ａをそれぞれ縫着するステップと、各側面布団部２の傾斜辺２ｃをそれぞれ縫着するステップと、を備える。
【００２９】
図４（Ａ）の通り、こたつ布団は、４つの側面布団部２の長辺２ｂによって、正方形になる。そして、天面布団部１の各角と側面布団部２の各角とを結ぶ部分２ｃが、縫着部分となる。そのため、この縫着部分が、完成後のこたつ布団の折れ線として機能して、使用の際に、こたつの熱が外部に漏れ難いようになっている。
【００３０】
図４（Ｂ）の通り、天面布団部１と側面布団部２とのそれぞれに入れる綿の量を異なるようにできる。天面布団部１は、天板で覆われるので、綿１１の量は少なくでき、また、側面布団部２は、綿２１の量を多くして、こたつの熱を外部に漏れないようにできる。
【００３１】
図４（Ｂ）の通り、側面布団部２の端部には、大量の綿２１、すなわち、本体部２１０と折り返し部２１１とが重なった量の綿２１が配置されるので、使用の際に、こたつの熱が外部に漏れ難いようになっている。さらに、本体部２１０と折り返し部２１１とが接続されているので、容易に、側面布団部２の端部に大量の綿２１０，２１１を配置できると共に、使用の際に、大量の綿２１０，２１１が側面布団部２の端部から移動することもない。
【００３２】
図５の通り、こたつ３は、こたつ本体３１と天板３０とを着脱自在に固定するための一対の固定手段４を備える。固定手段４は、こたつ本体３１に取り付けられたボルトねじ４１と、天板３０に取り付けられたナット４０と、からなる。ボルトねじ４１は、こたつ本体３１に取り付けられた固定具４２を介して、こたつ本体３１に固定される。
【００３３】
固定手段４は、ボルトねじ４１とナット４０とを螺合することで、こたつ本体３１と天板３０とを固定する。こたつ３は、固定手段４でこたつ本体３１と天板３０とを連結して、天板３０がこたつ本体３１から位置ずれしないように構成されている。
【００３４】
使用の際、こたつ本体３１にこたつ布団を掛ける。天面布団部１のカット線１２に、固定手段４のボルトねじ４１を挿通する。そのため、図５の円の内側に描かれた拡大図の通り、天面布団部１のカット線１２がボルトねじ４１に密着して、従来のこたつ布団に比べて、こたつの熱が外部に漏れ難いようになっている。また、上記の通り、従来のこたつ布団のように、固定手段４を挿通するための大きな穴が開くことがない。
【００３５】
以上、本発明の好ましい実施形態を説明したが、本発明の構成はこれらの実施形態に限定されるものではない。
【符号の説明】
【００３６】
１  天面布団部
１ａ  天面布団部の各辺
１０  天面袋
１１  天面布団部の綿
１２  カット線
２  側面布団部
２ａ  側面布団部の短辺
２ｂ  側面布団部の長辺
２ｃ  側面布団部の傾斜辺
２０  側面袋
２１  側面綿
２１０  本体部
２１０ｂ  本体部の長辺
２１１  折り返し部
３  こたつ
３０  天板
３１  こたつ本体
４  固定手段
【図１】
0006626666.tif 000002
【図２】
0006626666.tif 000003
【図３】
0006626666.tif 000004
【図４】
0006626666.tif 000005
【図５】
0006626666.tif 000006